(57)【要約】【課題】発光表示部が環状のものにおいて、発光源の数を増すことなく、意匠性にも優れた表示灯を得る。【解決手段】本発明に係る表示灯１は、発信機収納部１３と、発信機収納部１３の周囲を囲むように形成されて発光源が発光する光を透光させて光る発光表示部１１とを備えた表示灯１であって、背面側に反射面１５ａが形成され、側面から入射した光を拡散させて表面を発光面として光らせる導光板１５を有し、発光表示部１１は導光板１５から出射する光によって発光するように構成されていることを特徴とするものである。【選択図】  図１
2019021525.tif 000002
【特許請求の範囲】
【請求項１】
発信機収納部と、該発信機収納部の周囲を囲むように形成されて発光源が発光する光を透光させて光る発光表示部とを備えた表示灯であって、
背面側に反射面が形成され、側面から入射した光を拡散させて表面側を発光面として光らせる導光板を有し、前記発光表示部は前記導光板から出射する光によって発光するように構成されていることを特徴とする表示灯。
【請求項２】
前記導光板はリング状の筒状体からなり、該筒状体の周方向の一部に切断部又は高さ方向に凹む凹部が形成され、前記切断部又は凹部によって前記発光源が筒状体の周方向に向けて光を入射させる前記側面が形成されていることを特徴とする請求項１記載の表示灯。
【発明の詳細な説明】
【技術分野】
【０００１】
本発明は、例えば消火栓箱、機器収納箱等に取り付けられる発信機等の防災機器の位置を表示する表示灯に関する。
【背景技術】
【０００２】
表示灯の一例として、例えば特許文献１（意匠登録第１４６０５５８号公報）には、「中央部に発信機を取り付けるための略矩形状の開口を有し、赤色に着色された半透明部材から成る環状の表示灯本体と、表示灯本体に着脱自在に螺着され、表示灯本体を消火栓格納箱等へ取り付けるための環状の取り付け部材と、表示灯本体と取り付け部材との間に挟持固定され、発光ダイオード（ＬＥＤランプ）を等角度ごとに取り付けた環状の基板とから構成されており、表示灯本体の環状空間に配置された発光ダイオードの光を正面及び周囲に環状に放射するようにしたもの」（特許文献１における意匠に係る物品の説明）が開示されている。
【０００３】
上記の表示灯においては、環状に発光させることによって視認性の向上を図れ、また、その中央部に発信機を取り付けられるため、表示灯と発信機を別々の位置に設置していたものに比較して設置に必要な面積を小さくすることができるとしている。
【先行技術文献】
【特許文献】
【０００４】
【特許文献１】意匠登録第１４６０５５８号公報
【発明の概要】
【発明が解決しようとする課題】
【０００５】
特許文献１に開示された表示灯は、発光ダイオードを等間隔で多数配置して環状の発光表示部を光らせることで視認性を向上させている。
しかし、環状の全周を光らせるために多数の発光ダイオードが必要であり、それ故に基板も環状の全周に亘るものが必要となっている。
また、点在する発光ダイオードによって発光表示部を光らせるようにしたので、発光ダイオードのある箇所に光が点在するように見え、意匠上好ましいとは言えない。
【０００６】
本発明はかかる問題点を解決するためになされたものであり、発光表示部が環状のものにおいて、発光源の数を増すことなく、意匠性にも優れた表示灯を得ることを目的としている。
【課題を解決するための手段】
【０００７】
（１）本発明に係る表示灯は、発信機収納部と、該発信機収納部の周囲を囲むように形成されて発光源が発光する光を透光させて光る発光表示部とを備えた表示灯であって、
背面側に反射面が形成され、側面から入射した光を拡散させて表面側を発光面として光らせる導光板を有し、前記発光表示部は前記導光板から出射する光によって発光するように構成されていることを特徴とするものである。
【０００８】
（２）また、上記（１）に記載のものにおいて、前記導光板はリング状の筒状体からなり、該筒状体の周方向の一部に切断部又は高さ方向に凹む凹部が形成され、前記切断部又は凹部によって前記発光源が筒状体の周方向に向けて光を入射させる前記側面が形成されていることを特徴とするものである。
【発明の効果】
【０００９】
本発明においては、発光表示部を導光板によって光らせるようにしたので、発光源の数を少なくでき、それ故に基板を小型化でき、かつ発光源が点在するような光り方でなく面状に光らせることができるので、意匠性にも優れる。
【図面の簡単な説明】
【００１０】
【図１】本発明の一実施の形態に係る表示灯の斜視図である。
【図２】図１に示した表示灯の正面側から見た分解斜視図である。
【図３】図１に示した表示灯の背面側から見た分解斜視図である。
【図４】図１に示した表示灯の断面図である。
【図５】本発明の他の実施の形態に係る表示灯の分解斜視図である。
【図６】図５に示した表示灯の断面図である。
【発明を実施するための形態】
【００１１】
［実施の形態１］
本実施の形態に係る表示灯１は、図１〜図４に示すように、略円筒体からなる外周壁部３と、外周壁部３の前端側の外周面から外方に張り出すフランジ状の取付部５と、外周壁部３の内周側に外周壁部３と所定の間隔を離して形成された内周壁部７と、内周壁部７と外周壁部３との間にリング状に形成され発光源としてのＬＥＤ９が発光する光を透光させて光る発光表示部１１と、内周壁部７の内側に形成された発信機収納部１３とを有している。
【００１２】
なお、外周壁部３、取付部５、内周壁部７及び発信機収納部１３は表示灯１の本体部を構成し、この本体部は樹脂の一体成形により成形されたものである。また、発光表示部１１は後述するようにリング状の筒状体からなる導光板１５の発光面１５ｂによって構成されるが、導光板１５は本体部とは別体のものである。このような場合、発光表示部１１を形成する導光板１５を、本体部を成形する金型に予めインサートして射出成形するいわゆるインサート成形によって形成することができる。
以下、各構成を詳細に説明する。
【００１３】
＜外周壁部＞
外周壁部３は、本体部を構成する樹脂製の部材によって略短円筒状に形成されている。
【００１４】
＜取付部＞
取付部５は、表示灯１を取付面に取り付けるためのものであり、外周壁部３の前端側の外周面から外方に張り出す略正方形のフランジ状に形成されている。
取付部５の四隅には、図１および図２に示すように、表示灯１を取付面に取り付けるためのネジ孔５ａが設けられている。
取付部５には、発光表示部１１の外周を縁取るリング状の立片部５ｂが設けられている。立片部５ｂは、表示灯１が取付面に取り付けられる際に、取付面に設けられた開口部の縁に内側から当接して表示灯１の位置決め（位置合せ）をする機能を有している。
【００１５】
＜内周壁部＞
内周壁部７は、外周壁部３の内周側に外周壁部３と所定の間隔を離して形成された円形の壁部である。このような内周壁部７があることで、外周壁部３との間に円筒状の隙間が形成され、この隙間に発光表示部１１を形成するリング状の筒状体からなる導光板１５を挿入できるようになっている。
【００１６】
＜発光表示部＞
発光表示部１１は、後述する発信機収納部１３の周囲を囲むように形成されて発光源（ＬＥＤ９）が発光する光を透光させて光るものである。発光表示部１１は、背面側に反射ドット１７を形成した反射面１５ａが形成され、側面から入射した光（円周方向に向かって入射した光）を拡散させて発光面１５ｂ（表面）を光らせるリング状の導光板１５の発光面１５ｂによって形成されている。
一般に導光板とは、アクリル板の側面（板の厚み部分）から入射した光を拡散させ、アクリル板の表面に均一な光を出す薄いパネルからなるものである。
何らの加工もしないアクリル板の側面から光を入射させると、光はアクリル板の背面と表面で全反射して他方の端面から出光するが、導光板は、アクリル板の背面に特殊な反射面（反射ドット）を形成することで、光源からアクリル製の導光板内に導かれた光をアクリル板の全反射を用いてアクリル板表面に導き、反射ドットに当たった光がその進路を変え、全反射角よりも小さい角度になった光がアクリル板表面から出てくることを利用して、導光板表面が光るようにしたものである。
【００１７】
上記のように一般的な導光板は、モニタ等の表示部に用いられる薄い板状のものであるが、本発明の導光板１５はリング状の筒状体からなり、図２、図３に示すように、該筒状体の周方向の一部に高さ方向に凹む凹部１９が形成され、凹部１９を形成することで凹部１９の両側壁２１が光を入射する側面として機能するようになっている。そして、筒状体の高さ方向の一方の端面が、光が出て発光する発光面１５ｂとなり（図中グレー色を付した面）、他方の端面が反射面１５ａ（図中ドットを付した面）となっている。
【００１８】
導光板１５に入射した光は内部における表面と背面で反射を繰り返して導光板１５全体に広がる。この際に反射ドット１７があると、そこで光が散乱され、導光板１５の発光面１５ｂから外に光が出て行く。このような導光板１５は、反射ドット１７の面積や密度等を適宜変更することで表面からの光の出方を簡単に変化させることができる。例えば、光の入射位置に近い反射ドット１７の面積を小さく（または密度を疎にする）、光の入射位置から遠く離れるほど反射ドット１７の面積を大きくする（または密度を密にする）ことにより導光板１５全体が均一に光るようにできる。
【００１９】
反射面１５ａの形成は、例えばレーザー波でドットを形成する方法、ドットパターンをシルク印刷によって形成する方法、プロッタで溝を削る方法、型材にアクリルを流し込んで所定のドットパターンを形成する方法など、一般的な導光板の製造に用いられる方法を適用できる。
なお、発光表示部１１は常に均一に発光することが好ましいとは限らず、例えば表示灯１を設置した状態で左右や上下等、任意の場所を他よりも明るく光らせることで視認性を高めることができる場合もある。このように、発光表示部１１の光り方に変化を持たせるような場合には、反射面１５ａのドットパターンを変えるだけで容易に対応することができる。
【００２０】
＜発光源＞
発光源は、基板２３に搭載されたＬＥＤ９からなり、図３、４に示すように、導光板１５の凹部１９内にＬＥＤ９が収納されるように基板２３を発信機収納部１３の背面側にネジ固定する。
本実施の形態では単一の発光源で足りるため、基板２３が小型化でき、これによって表示灯１全体の形状を小型化できる。
なお、本実施の形態では導光板１５の発光面１５ｂが発光表示部１１となるので、ＬＥＤ９としては赤色のものを用いるのが好ましい。
【００２１】
＜発信機収納部＞
発信機収納部１３は、図１及び図３に示すように、内周壁の内側に形成されており、発信機３０を取り付けるためのネジ孔２５が設けられた平坦面２７と、平坦面２７の中央部に発信機３０の本体を挿入するための矩形の開口部２９を有している。
【００２２】
発信機収納部１３に収納される発信機３０は、図２、図３に示す通り、押下されると火災信号を発信する押ボタン３１と、円板状からなる押ボタン格納部３３と、押ボタン格納部３３の背面側に形成された発信機本体部３５とを有している。
【００２３】
押ボタン格納部３３には、押ボタン格納部３３の内部に設けられて送受話器が接続される電話ジャック（図示なし）を開閉自在に覆う電話ジャック用窓扉３７が設けられている。
発信機本体部３５は、箱状からなり内部に押ボタン３１に連動するスイッチ等（図示なし）を格納している。
【００２４】
図１、４に示すように、発信機３０は表示灯１の発信機収納部１３に収容されると、発光表示部１１に囲まれるように、かつ、発光表示部１１の内周縁と略面一になるように配置される。この状態で、表示灯１の発光表示部１１が光ることで、発信機３０の位置が表示される。
【００２５】
上記のように構成された本実施の形態においては、発光表示部１１を導光板１５の発光面１５ｂによって構成するようにしたので、単一の発光源によって発光面１５ｂの全面を均等にあるいは所望の光らせ方で光らせることができ、従来例のように複数の発光源の光が点在するようなことがないので意匠性に優れる。
また、導光板１５を利用することで、発光面１５ｂの光らせ方を反射面１５ａの形成の仕方によっていかようにでも変えることができる。
【００２６】
なお、筒状体からなる導光板１５における両周面（筒状体の外周面１５ｃと内周面１５ｄ）に外部への光の出光を防止するために反射シートを貼付するようにしてもよい。また、反射シートの代わりに、表示灯１の本体部を不透光性の樹脂等から形成しても良いし、少なくとも外周壁部３及び内周壁部７を不透光性の樹脂等から形成すれば良い。
【００２７】
［実施の形態２］
実施の形態１の表示灯１おける発光表示部１１は、導光板１５の発光面１５ｂそのものによって形成したものであったが、本実施の形態の表示灯３９の発光表示部４１は、本体部を形成する樹脂によって形成され、その背面側に導光板４３を配置するようにしたものである。
導光板４３は、内周壁部７と外周壁部３との間の溝部に挿入するようにすればよい（図６参照）。
【００２８】
本実施の形態では、発光表示部４１は本体部を形成する樹脂で形成されているので、この樹脂を透光性を有する赤色にすれば、ＬＥＤ９は汎用の白色のものを使用してもよい。
【００２９】
なお、実施の形態１の導光板１５は周方向で繋がったリングであったが、本実施の形態の導光板４３は、図５に示すように、リングの一部に切断部４４が形成されたいわゆるＣ型リングである。なお、導光板４３において、実施の形態１の導光板１５の凹部１９に代えて切断部４４を設けた点以外の構成は導光板１５と同様であり、反射面（図示なし）、発光面４３ｂを有している。
【００３０】
本実施の形態で一例を挙げたように、導光板４３は繋がったリングである必要はなく、全体として略リング状をしておればよく、例えば、２枚の半円状の導光板をリング状に配置して、各導光板の端部の側面にそれぞれ発光源を配置するようにしてもよい。
なお、本実施の形態では、外部への光の出光を防止するために、導光板４３における両周面に反射シートを貼付するか、外周壁部３及び内周壁部７を不透光性の樹脂等で形成すれば良い。
【符号の説明】
【００３１】
１  表示灯
３  外周壁部
５  取付部
５ａ  ネジ孔
５ｂ  立片部
７  内周壁部
９  ＬＥＤ
１１  発光表示部
１３  発信機収納部
１５  導光板
１５ａ  反射面
１５ｂ  発光面
１５ｃ  外周面
１５ｄ  内周面
１７  反射ドット
１９  凹部
２１  両側壁
２３  基板
２５  ネジ孔
２７  平坦面
２９  開口部
３０  発信機
３１  押ボタン
３３  押ボタン格納部
３５  発信機本体部
３７  電話ジャック用窓扉
３９  表示灯（実施の形態２）
４１  発光表示部
４３  導光板
４３ｂ  発光面
４４  切断部
【図１】
2019021525.tif 000003
【図２】
2019021525.tif 000004
【図３】
2019021525.tif 000005
【図４】
2019021525.tif 000006
【図５】
2019021525.tif 000007
【図６】
2019021525.tif 000008